(57)【要約】【課題】使用者が容易にある特定点の座標を記録でき、使用者がゴルフ場地図を表示する携帯装置を使用するときの有用性を高める、特定点画像の自己設定が可能なゴルフ補助装置の提供。【解決手段】本発明の特定点画像の自己設定が可能なゴルフ補助装置は、プロセッサ、モニタ、入力装置、全地球測位受信（ＧＰＳ）モジュール、メモリ、メモリに保存されたソフトウェアプログラムを含み、前記ソフトウェアプログラムが、少なくとも１つのコース画像をモニタ上に表示し、複数の異なる特定点画像を使用者に表示して、使用者が設定特定点画像を選択し、現在の座標位置を記録して前記設定特定点画像と対応関係を形成し、かつ前記設定特定点画像を前記コース画像上に配置する、という機能を達することができる。【選択図】図３
2009247902.tif 000002
【特許請求の範囲】
【請求項１】
ゴルフに関する特定点画像の自己設定方法であって、ゴルフ補助装置に用いられ、前記方法が、
随時前記ゴルフ補助装置の現在の座標位置を記録する、
少なくとも１つのコース画像をモニタ上に表示する、
特定点設定を起動する信号を受信する、
複数の異なる特定点画像を表示する、
設定特定点画像を受け取り、そのうち前記設定特定点画像が前記複数の異なる特定点画像から選択されたものである、
前記現在の座標位置と前記設定特定点画像に対応関係を形成する、
という手順を含むことを特徴とする、ゴルフに関する特定点画像の自己設定方法。
【請求項２】
前記コース画像を表示するとき、さらに距離表示エリアを含み、前記距離表示エリアを前記現在の座標位置と前記設定特定点画像の距離数値の表示に用いることを特徴とする、請求項１に記載のゴルフに関する特定点画像の自己設定方法。
【請求項３】
前記設定特定点画像を受け取った後、さらに前記設定特定点画像を前記コース画像上に配置することを特徴とする、請求項２に記載のゴルフに関する特定点画像の自己設定方法。
【請求項４】
前記各設定特定点画像と前記現在の座標位置の距離数値の間に指示ラインを含むことを特徴とする、請求項３に記載のゴルフに関する特定点画像の自己設定方法。
【請求項５】
前記コース画像を表示するとき、さらに使用者歩行トラックを表示し、そのうち前記使用者歩行トラックが過去に記録された現在の座標位置から形成されることを特徴とする、請求項４に記載のゴルフに関する特定点画像の自己設定方法。
【請求項６】
さらに特定点方位設定インターフェースを表示し、前記特定点方位設定インターフェースが、左フィールド、中間フィールド、右フィールド、距離フィールドを含み、前記設定特定点画像を前記左フィールド、前記中間フィールドまたは前記右フィールド内に配置することができ、前記距離フィールドに前記現在の座標位置と前記設定特定点画像の距離数値を表示することができることを特徴とする、請求項５に記載のゴルフに関する特定点画像の自己設定方法。
【発明の詳細な説明】
【技術分野】
【０００１】
本発明は、ゴルフ使用者がボールを打つときの補助装置に関し、特に、使用者がハザード地点を記録するために用いることができる、ゴルフ補助装置に関する。
【背景技術】
【０００２】
現在ゴルフの補助に用いる携帯型装置はたくさんあり、そのうち多くのゴルフ用の携帯型装置が全地球測位受信（ＧＰＳ）モジュールを含んでおり、ゴルフの携帯型装置の現在位置を随時知ることができるようになっている。
【０００３】
全地球測位受信（ＧＰＳ）モジュールをゴルフの携帯型装置上に利用するアプリケーションにはさまざまな種類があり、主に２つの大きな種類に分けることができる。
【０００４】
そのうち１つはゴルフ場の地図を表示する方式で、使用者が随時自分がどこにいるのか、及び使用者からグリーンまでの大体の距離を知ることができる。ゴルフ場地図を表示する方式は当然人を引き付けるが、従来のゴルフ補助装置はゴルフ場地図上にある特定点の座標（例えば、バンカーのある一点の座標）を表示することは困難であり、各使用者が必要とするものは同じではない場合があるため、ニーズを満たせないことがある。
【０００５】
またゴルフ場は、例えばハザード（例：バンカー）の増設や変更等、変化がある場合もある。
【０００６】
このため、上述の問題を解決する必要がある。
【発明の概要】
【発明が解決しようとする課題】
【０００７】
本発明の主な目的は、使用者が容易にある特定点の座標を記録でき、使用者がゴルフ場地図を表示する携帯装置を使用するときの有用性を高める、ゴルフに関する特定点画像の自己設定方法を提供することにある。
【課題を解決するための手段】
【０００８】
上述の目的を達するため、本発明の特定点画像の自己設定が可能なゴルフ補助装置は、プロセッサ、モニタ、入力装置、全地球測位受信（ＧＰＳ）モジュール、メモリを含む。
【０００９】
前記メモリにはソフトウェアプログラムが保存され、該ソフトウェアプログラムは本発明の重点としてコース表示インターフェース、特定点設定インターフェース、特定点画像処理コード、特定点方位設定インターフェース、距離計算処理プログラムを含む。全地球測位受信（ＧＰＳ）モジュールでゴルフ補助装置の現在の座標位置を知ることができるため、現在の座標位置はメモリ内に常に保存され、使用に供される。そのうち、各プログラムの機能は次のとおりである。
【００１０】
コース表示インターフェースは少なくとも１つのコース画像をモニタ上に表示する。
【００１１】
特定点設定インターフェースは、複数の異なる特定点画像を表示し、使用者が設定特定点画像を選択することができる。
【００１２】
特定点画像処理コードは、現在の座標位置を記録し、かつ前記設定特定点画像と対応関係を形成し、前記座標システムに基づいて該設定特定点画像を前記コース画像上に配置する。
【発明の効果】
【００１３】
本発明によれば、コース画像をモニタ上に表示し、複数の異なる特定点画像を使用者に表示して、使用者が設定特定点画像を選択し、現在の座標位置を記録して前記設定特定点画像と対応関係を形成し、かつ前記設定特定点画像を前記コース画像上に配置する、という機能を達することができる。
【図面の簡単な説明】
【００１４】
【図１】本発明の外観図である。
【図２】本発明のシステム構成図である。
【図３】本発明の実施例１のフローチャートである。
【図４】本発明のコース表示インターフェースの実施例図である。
【図５】本発明のコース表示インターフェースの実施例図である。
【図６】本発明の特定点方位設定インターフェースの実施例図である。
【図７】本発明の特定点設定インターフェースの実施例図である。
【図８】本発明の特定点方位設定インターフェースの実施例図である。
【図９】本発明のコース表示インターフェースの実施例図である。
【図１０】本発明の実施例２のフローチャートである。
【図１１】本発明のコース表示インターフェースに複数の設定特定点画像が表示された状態の実施例図である。
【発明を実施するための形態】
【００１５】
本発明の技術内容に対する理解を促すため、以下、２つの具体的な最良の実施例に基づき説明する。
【００１６】
図１に本発明の外観図を示す。特定点画像の自己設定が可能なゴルフ補助装置１０の外観構造は、主にケース１９を備え、該ケース１９上にモニタ１２と入力装置１３が設置される。そのうち、前記入力装置１３は主に複数のボタンから構成される。ゴルフ補助装置１０内には全地球測位受信（ＧＰＳ）モジュールが設置されているため、ゴルフ補助装置１０はアンテナを含む（本実施例のアンテナはケース内に設置されているため、図１には表示されていない）。
【００１７】
図２に本発明のシステム構成図を示す。本発明はプロセッサ１１、前記プロセッサ１１と電気的に接続されたメモリ１５、モニタ１２、全地球測位受信（ＧＰＳ）モジュール１４、入力装置１３を含む。上述のハードウェアは一般的な基本装置であり、そのうち、前記全地球測位受信（ＧＰＳ）モジュール１４は複数の衛星の信号を受信し、ゴルフ補助装置１０の現在位置を知るために用いることができ、前記全地球測位受信（ＧＰＳ）モジュール１４もよく知られた技術であるため、ここでは説明を省略する。
【００１８】
メモリ１５内にはソフトウェアプログラム２０が保存され、プロセッサ１１にソフトウェアプログラム２０を実行させ、情報（文字または画像）をモニタ１２上に表示するなど、いくつかの機能を達成することができる。ソフトウェアプログラム２０は本発明の重点としてコース表示インターフェース３０、特定点設定インターフェース４０、特定点画像処理コード５０、特定点方位設定インターフェース６０、距離計算処理プログラム７０を含む。全地球測位受信（ＧＰＳ）モジュール１４でゴルフ補助装置１０の現在の座標位置９０を知ることができるため、現在の座標位置９０はメモリ１５内に常に保存され、使用に供される。
【００１９】
ソフトウェアプログラム２０の機能については、同時に図３の実施例１のフローチャートと図４から図９の関連インターフェースの実施例を参照する。
【実施例１】
【００２０】
手順３０１：
コース表示インターフェース３０にコース画像３１を表示する。
【００２１】
図４に示すように、使用者がゴルフ補助装置１０を使用するとき、コース表示インターフェース３０を利用してコース画像３１を表示することができる。コース画像３１の表示は、使用者マーク３４（人形マークなど）で使用者にコースのどの位置にいるかを知らせることができるようにするのが最良である。
【００２２】
一般に、使用者がゴルフ補助装置１０を使用するとき、ほとんどの時間がコース表示インターフェース３０を使用している状態になる可能性がある。これは、コース画像３１及び自分の所在位置を観察して知り、プレイの戦略や選択するクラブの号数を決定するのに便利なためである。
【００２３】
図５に示すように、例えば使用者がこのコースを歩いた後に、使用者歩行トラック３５を表示することもできる。
【００２４】
また、コース画像３１は複数をメモリ１５内に保存し、使用者が見たいコース画像３１を選択するようにする。注意が必要なのは、コース画像３１には対応する座標位置があり、モニタ１２上に便利に表示できるよう、コース画像３１は変形処理を経るとよく（例えば、細長い形状のコースは幅が広くなるため、比率変換する）、また方向も処理を経て、ティーグラウンドを下方に、グリーンを上方に配置する（方位変換処理）とよい。全地球測位受信（ＧＰＳ）モジュール１４があるため、使用者の現在の座標位置９０を常に知ることができ、現在の座標位置９０に基づきコース画像３１が対応する座標システムに基づいて（方位変換と比率変換を経てもよい）、使用者マーク３４をコース上に配置し、かつ使用者歩行トラック３５を描き出すこともできる。この数学演算の方法は一般に知られた技術であり、本発明の重点ではないため、ここでは説明を省略する。
【００２５】
また、コース表示インターフェース３０はさらに距離表示エリア３２（モニタ１２右側の位置）を含み、現在、距離表示エリア３２は空白である。
【００２６】
手順３０２：
特定点設定を起動する。
【００２７】
図５に示すように、使用者が、あるバンカーの位置に来たと仮定する（即ち図５に示す使用者マーク３４の位置）。使用者がバンカー位置の座標を記録（つまり現在の座標位置９０を記録）したい場合、使用者は入力装置１３を操作（例えば入力装置１３のあるボタンを押す）して、特定点設定を起動する。
【００２８】
手順３０３：
図６に示すように、このときモニタ１２は特定点方位設定インターフェース６０を表示する。
【００２９】
特定点方位設定インターフェース６０は左フィールド６１、中間フィールド６２、右フィールド６３、距離フィールド６４を含む。
【００３０】
使用者は入力装置１３を操作して（例えば方向ボタンを押して達成する）特定点を配置する位置を選択する。例えば、使用者が右フィールド６３の最も下方の位置６３aを選択する場合、使用者は入力装置１３を操作して決定後、『SELECT（選択）』を押す。
【００３１】
ここで、本実施例においてモニタ１２はタッチスクリーンモニタではないため、ボタン式の入力装置１３が必要であることに注意が必要である。当然モニタ１２にタッチスクリーンモニタを採用し、使用者が指や操作ペンでモニタを押すようにすることもでき、モニタ１２にタッチスクリーンモニタを採用した場合、モニタ１２は入力装置１３を備えたモニタ１２となる（即ち、タッチスクリーン機制が入力装置１３となる）。
【００３２】
手順３０４：
図７に示すように、このときモニタ１２は特定点設定インターフェース４０を表示し、特定点設定インターフェース４０は複数の異なる特定点画像４１を表示する。特定点画像４１はゴルフのコース中の樹木やバンカー、池等を異なる画像で表すことができる。例えば、現在の座標位置９０がバンカーである場合、使用者はバンカーの画像を選択する。説明上の利便性のため、この明細書では使用者が選択する特定点を設定特定点画像４５と定義する。
【００３３】
手順３０５：
設定特定点画像４５を受け取る。
【００３４】
図７に示すように、使用者は入力装置１３を操作して設定特定点画像４５を選択した後、『RECORD（記録）』を押すと、ソフトウェアプログラム２０が設定特定点画像４５を受け取る。
【００３５】
手順３０６：
図８に示すように、このとき表示は特定点方位設定インターフェース６０に戻り、設定特定点画像４５が手順３０３で選択した位置に配置される。
【００３６】
また、手順３０５または手順３０６のとき、特定点画像処理コード５０が現在の座標位置９０を記録し、かつ前記設定特定点画像４５と対応関係を形成する（例えばデータベース形式で記録する）。
【００３７】
設定特定点画像４５が確定された後、設定特定点画像４５に対応する距離フィールド６４に距離の数値が生成される。現在は『０』と表示されているが、これは使用者の現在位置が設定特定点画像４５の位置であるため、距離が『０』と表示されている。使用者が設定特定点画像４５の位置を離れると、距離フィールド６４の数値が変化する。即ち、ソフトウェアプログラム２０中の距離計算処理プログラム７０は常に現在の座標位置９０と設定特定点画像４５の間の距離を計算し、かつ、この距離数値を対応する距離フィールド６４上に表示する。
【００３８】
手順３０７：
図９に示すように、特定点画像処理コード５０がコース画像３１の座標システムに基づいて設定特定点画像４５を該コース画像３１上に配置する。
【００３９】
また、設定特定点画像４５に対応する距離表示エリア３２にも設定特定点画像４５と該現在の座標位置９０（即ち使用者の現在位置）の距離数値が表示される。
【００４０】
使用者が便利に設定特定点画像４５と現在位置の距離を照らし合わせることができるよう、設定特定点画像４５と現在の座標位置９０の距離数値の間に指示ライン３３が表示される。
【００４１】
ここで、特定点方位設定インターフェース６０は使用者があるコースについてこれまでに設定したことがある設定特定点画像４５を一覧するのに便利である点に注意が必要である。但し、特定点方位設定インターフェース６０は必要であるとは限らず、以下、図１０の実施例２のフローチャートと図４、５、７、９を参照する。
【実施例２】
【００４２】
手順９０１：
手順３０１と同様に、コース表示インターフェース３０にコース画像３１を表示する。図４に示すとおりである。
【００４３】
手順９０２：
手順３０２と同様に、特定点設定を起動する。図５に示すとおりである。
【００４４】
手順９０３：
手順３０４と同様に、図７に示すように、このときモニタ１２は特定点設定インターフェース４０を表示し、特定点設定インターフェース４０は複数の異なる特定点画像４１を表示する。
【００４５】
手順９０４：
手順３０５と同様に、設定特定点画像４５を受け取る。
【００４６】
手順９０５：
手順３０７と同様に、図９に示すように、コース画像３１の座標システムに基づいて設定特定点画像４５を該コース画像３１上に配置する。
【００４７】
最後に図１１に示すように、上述の手順３０１〜３０７、または手順９０１〜９０５に従い、使用者は複数の設定特定点画像４５を該コース画像３１上に配置することができ、図１１に本発明を使用者が便利に使用できる最終状態を示す。
【符号の説明】
【００４８】
１０      特定点画像の自己設定が可能なゴルフ補助装置
１１      プロセッサ
１２      モニタ
１３      入力装置
１４      全地球測位受信（ＧＰＳ）モジュール
１５      メモリ
１９      ケース
２０      ソフトウェアプログラム
３０      コース表示インターフェース
３１      コース画像
３２      距離表示エリア
３３      指示ライン
３４      使用者マーク
３５      使用者歩行トラック
４０      特定点設定インターフェース
４１      特定点画像
４５      設定特定点画像
５０      特定点画像処理コード
６０      特定点方位設定インターフェース
６１      左フィールド
６２      中間フィールド
６３      右フィールド
６３ａ    右フィールド６３の最も下方の位置
６４      距離フィールド
７０      距離計算処理プログラム
９０      現在の座標位置
【図１】
2009247902.tif 000003
【図２】
2009247902.tif 000004
【図３】
2009247902.tif 000005
【図４】
2009247902.tif 000006
【図５】
2009247902.tif 000007
【図６】
2009247902.tif 000008
【図７】
2009247902.tif 000009
【図８】
2009247902.tif 000010
【図９】
2009247902.tif 000011
【図１０】
2009247902.tif 000012
【図１１】
2009247902.tif 000013